(57)【特許請求の範囲】
【請求項１】
第１周波数を有する電波を受信して共振し、第１周波数を有する電波を送信する第１共振回路と、第２周波数を有する電波を受信して共振し、第２周波数を有する電波を送信する第２共振回路と、を有する防犯タグが付された商品の販売データ処理を行うことが可能な販売データ処理装置において、
商品の撮像画像に基づいて、防犯タグ付き商品であることを表す特定画像が表示された画像表示部材が付された商品であるか否かを判別する判別手段と、
前記第１周波数を用いて、前記第１共振回路と通信が可能であるとともに、前記第１共振回路を使用不能とすることが可能な第１通信装置と、
前記第２周波数を用いて、前記第２共振回路と通信が可能な第２通信装置と、を備え、
前記画像表示部材が付された商品であると判別した場合には、当該商品に付された防犯タグに対し、前記第１通信装置により前記第１共振回路を使用不能とする処理を行った状態で、前記第１通信装置による通信が行えず、かつ、前記第２通信装置による通信が行えた場合に次の商品の処理に移行する処理制御手段と、
を備えた商品販売データ処理装置。
【請求項２】
入力された商品の撮像画像に基づいて、前記商品を特定するためのコードシンボルを読み取るコード読取手段を備え、
前記処理制御手段は、前記次の商品の処理として、当該次の商品のコードシンボル読み取り処理への移行を制御する、
請求項１記載の商品販売データ処理装置。
【請求項３】
前記第１通信装置及び前記第２通信装置の双方において、通信が可能である場合に、前記コードシンボル読取手段による読み取り行わせるように促す情報を告知する告知手段を備えた請求項２記載の商品販売データ処理装置。
【請求項４】
商品の撮像画像に基づいて、防犯タグ付き商品であることを表す特定画像が表示された画像表示部材が付された商品であるか否かを判別する判別手段と、
前記画像表示部材が付された商品であると判別した場合には、当該商品が防犯タグ付き商品であることを告知する告知手段と、
を備えた請求項１乃至請求項３のいずれかに記載の商品販売データ処理装置。
【請求項５】
商品を撮像して撮像画像データを出力する撮像装置と、
第１周波数を有する電波を受信して共振し、第１周波数を有する電波を送信する第１共振回路と、第２周波数を有する電波を受信して共振し、第２周波数を有する電波を送信する第２共振回路と、を有する防犯タグが付された商品の販売データ処理を行うことが可能であるとともに、前記第１周波数を用いて、前記第１共振回路と通信が可能であるとともに、前記第１共振回路を使用不能とすることが可能な第１通信装置と、前記第２周波数を用いて、前記第２共振回路と通信が可能な第２通信装置と、を備えた販売データ処理装置と、を備え、
前記販売データ処理装置は、商品の撮像画像に基づいて、防犯タグ付き商品であることを表す特定画像が表示された画像表示部材が付された商品であるか否かを判別する判別手段と、
前記画像表示部材が付された商品であると判別した場合には、当該商品に付された防犯タグに対し、前記第１通信装置により前記第１共振回路を使用不能とする処理を行った状態で、前記第１通信装置による通信が行えず、かつ、前記第２通信装置による通信が行えた場合に次の商品の処理に移行する処理制御手段と、を備えた、
チェックアウトシステム。
【請求項６】
第１周波数を有する電波を受信して共振し、第１周波数を有する電波を送信する第１共振回路と、第２周波数を有する電波を受信して共振し、第２周波数を有する電波を送信する第２共振回路と、を有する防犯タグが付された商品の販売データ処理を行うことが可能であるとともに、前記第１周波数を用いて、前記第１共振回路と通信が可能であるとともに、前記第１共振回路を使用不能とすることが可能な第１通信装置と、前記第２周波数を用いて、前記第２共振回路と通信が可能な第２通信装置と、を備えた販売データ処理装置をコンピュータにより制御するための制御プログラムであって、
前記コンピュータを、
商品の撮像画像に基づいて、防犯タグ付き商品であることを表す特定画像が表示された画像表示部材が付された商品であるか否かを判別する判別手段と、
前記画像表示部材が付された商品であると判別した場合には、当該商品に付された防犯タグに対し、前記第１通信装置により前記第１共振回路を使用不能とする処理を行った状態で、前記第１通信装置による通信が行えず、かつ、前記第２通信装置による通信が行えた場合に次の商品の処理に移行する処理制御手段と、
して機能させる、制御プログラム。
【発明の詳細な説明】
【技術分野】
【０００１】
本発明の実施形態は、商品販売データ処理装置、チェックアウトシステム及び制御プログラムに関する。
【背景技術】
【０００２】
スーパーマーケット、量販店、百貨店等の各種の店舗では、万引等の盗難に向けた防犯対策として、ゲート構造の防犯売場システムを採用していることがある（例えば、特許文献１参照）。
このような防犯売場システムは、売場の出入口に近距離無線通信を実行する無線機を内蔵するゲートを設置しておき、売場に展示する商品には共振回路が形成された無線タグである防犯タグを付しておく。防犯タグを付けたまま、すなわち、防犯タグが有効な商品がゲートを通過しようとすると、ゲートに内蔵された無線機が近距離無線通信を行うことにより、防犯タグの共振回路が共振してタグ信号を発信している状態を検知し、何処かに設置されている警報機に警報音を発生させるという仕組みである。
【０００３】
上述したような防犯売場システムを採用した場合、チェックアウトカウンタ等で商品が適性に売買されるに際しては、防犯タグの共振回路にタグ信号消去信号を送信することにより、共振回路を破壊し、ゲートに内蔵された無線機が近距離無線通信を行ったとしても、防犯タグの共振回路が共振することなく、ひいては、タグ信号を発信することがないようにしておく（以下、防犯タグの消去という。）必要がある。
【発明の概要】
【発明が解決しようとする課題】
【０００４】
このため、従来の防犯売場システムにおいては、防犯タグの消去を顧客のチェックアウト時にスマートに行うために、コードシンボルとしてのバーコードの認識を行って、商品を認識するためのスキャナに防犯タグの消去を行うためのタグ信号消去アンテナを内蔵し、商品のスキャンと同時にワンアクションで防犯タグの消去を行うものも提案されている。
しかしながら、従来技術においては、バーコードの読み取りに要する時間と、防犯タグの消去に要する時間とが異なるため、バーコードを認識できても防犯タグの消去が完了していない状況が発生する虞があった。また、全ての商品に防犯タグが設けられているわけではなく、いずれの商品に防犯タグが設けられているかは容易にわからないため、一部の防犯タグが設けられている商品において、確実に防犯タグの消去を行うための手順を全ての商品について行うことは、チェックアウト処理における作業効率の観点からも非現実的であった。
【課題を解決するための手段】
【０００５】
実施形態の商品販売データ処理装置は、第１周波数を有する電波を受信して共振し、第１周波数を有する電波を送信する第１共振回路と、第２周波数を有する電波を受信して共振し、第２周波数を有する電波を送信する第２共振回路と、を有する防犯タグが付された商品の販売データ処理を行うことが可能である。
そして、判別手段は、商品の撮像画像に基づいて、防犯タグ付き商品であることを表す特定画像が表示された画像表示部材が付された商品であるか否かを判別する。
第１通信装置は、前記第１周波数を用いて、前記第１共振回路と通信が可能であるとともに、前記第１共振回路を使用不能とすることが可能である。
また、第２通信装置は、前記第２周波数を用いて、前記第２共振回路と通信が可能である。
これらにより処理制御手段は、処理対象の商品が、画像表示部材が付された商品であると判別した場合には、当該商品に付された防犯タグに対し、前記第１通信装置により前記第１共振回路を使用不能とする処理を行った状態で、前記第１通信装置による通信が行えず、かつ、前記第２通信装置による通信が行えた場合に次の商品の処理に移行する。
【図面の簡単な説明】
【０００６】
【図１】図１は、ＰＯＳ端末とコードシンボル読取装置とを含むチェックアウトシステムの外観斜視図である。
【図２】図２は、ＰＯＳ端末の拡大外観斜視図である。
【図３】図３は、ＰＯＳ端末及びコードシンボル読取装置のハードウェア構成を示すブロック図である。
【図４】図４は、コードシンボル読取装置を示す正面図である。
【図５】図５は、ＰＬＵファイルの模式図である。
【図６】図６は、商品販売データ処理におけるコードシンボル読取装置の処理フローチャートである。
【図７】図７は、商品販売データ処理におけるＰＯＳ端末の処理フローチャートである。
【図８】図８は、防犯タグＴＡＧの無効化処理の処理フローチャートである。
【発明を実施するための形態】
【０００７】
図１は、ＰＯＳ端末とコードシンボル読取装置とを含むチェックアウトシステムの外観斜視図である。
チェックアウトシステム１は、ドロワ１２を介してチェックアウト台３１の上に載置されたＰＯＳ端末１１と、撮像画像から商品を特定するコードシンボルを読み取るとともに、ＰＯＳ端末１１にデータ送受信自在に接続されたコードシンボル読取装置１０１と、を備えている。ここで、コードシンボル読取装置１０１は、後述するように、防犯タグＴＡＧ（図３参照）との通信装置及び消去装置としての機能も兼ね備えている。
この場合において、防犯タグＴＡＧは、第１の周波数ｆ１で共振する第１の共振回路と、第２の周波数ｆ２で共振する第２の共振回路と、を備えている。
【０００８】
図２は、ＰＯＳ端末の拡大外観斜視図である。
図３は、ＰＯＳ端末及びコードシンボル読取装置のハードウェア構成を示すブロック図である。
ＰＯＳ端末１１は、ドロワ１２の上に載置されており、ドロワ１２の引出し１３の開放動作を制御することができる。ＰＯＳ端末１１の上面右側にはキーボード１４とオペレータ用表示器１５とが配列され、上面左側にはレシートジャーナルプリンタ１６が配列されている。
【０００９】
オペレータ用表示器１５は、情報を表示する表示部として機能し、その表示面１５ａに例えば液晶表示パネルを有する。そして、表示面１５ａには、タッチパネルＴＰが積層配置され、情報のタッチ入力が可能となっている。ＰＯＳ端末１１の上面後方には、客用表示器１７が立設されている。図２中、ＰＯＳ端末１１の右側面近傍に設けられている溝は、図３に示すカードリーダ１８によるカード情報の読み取り等をするためにカードをスキャンするためのカード読取溝１９である。
【００１０】
図２中、ＰＯＳ端末１１の上面右側のカード読取溝１９よりも奥側に配置されているのは、鍵キーＫである。鍵キーＫは、個々のユーザが所持するキー（図示せず）の指し込み及び回転操作を受け付け、ＰＯＳ端末１１の動作モードを「登録」、「精算」、「点検」、「トレーニング」等に切替える。このようなＰＯＳ端末１１での各種情報の入力は、入力部として機能するキーボード１４及びタッチパネルＴＰによって可能である。
【００１１】
ＰＯＳ端末１１には、コードスキャナとしてのバーコードスキャナ２０が接続されている。バーコードスキャナ２０は、ＰＯＳ端末１１が配備されているチェックアウトカウンタに持ち込まれた商品に付されているコードシンボルであるバーコードを光学的に読み取り、バーコードに含まれている商品コードを解析して出力する。バーコードスキャナ２０が解析して出力した商品コードは、ＰＯＳ端末１１に送信される。したがって、バーコードスキャナ２０も、キーボード１４等と同様に情報を入力するための入力部として機能する。
【００１２】
ＰＯＳ端末１１は、図３に示すように、各種演算処理を実行し各部を制御するＣＰＵ５１を備えている。ＣＰＵ５１には、固定データを固定的に記憶保存するＲＯＭ５２と、可変データを書き換え自在に記憶してワークエリアとして使用されるＲＡＭ５３と、ＨＤＤ５４とがバスライン５５を介して接続されている。ＨＤＤ５４は、各種のコンピュータプログラムをインストールしている。これらのコンピュータプログラムは、ＰＯＳ端末１１の起動時、その全部又は一部がＲＡＭ５３にコピーされる。ＣＰＵ５１は、ＲＡＭ５３にコピーされたコンピュータプログラムに従った処理を実行する。
【００１３】
ドロワ１２、キーボード１４、オペレータ用表示器１５、レシートジャーナルプリンタ１６、客用表示器１７、カードリーダ１８、バーコードスキャナ２０は、いずれも各種の入出力回路（全て図示せず）とバスライン５５とを介してＣＰＵ５１に接続され、ＣＰＵ５１によって動作制御される。これらに加えて、ＰＯＳ端末１１は、スピーカ２１から音声を発生させる音声回路２２を備えており、この音声回路２２もバスライン５５を介してＣＰＵ５１に接続され、ＣＰＵ５１によって動作制御される。音声回路２２は、音声合成ＬＳＩを搭載し、合成音声信号をデジタル化して増幅し、スピーカ２１から発生させる。したがって、ＣＰＵ５１、ＲＯＭ５２及びＲＡＭ５３等の各部は、それらの動作制御の対象物の物理的性質を利用してコンピュータプログラムが当該制御対象物を制御するために不可欠なハードウェア資源である。
【００１４】
ＰＯＳ端末１１は、ＰＯＳ端末１１が設置される店舗に設けられる通信ネットワークに接続するための通信インターフェース５６を備えており、この通信インターフェース５６も、バスライン５５を介してＣＰＵ５１に接続されている。ＨＤＤ５４にインストールされている各種のコンピュータプログラムは、一例として、通信インターフェース５６を介して上位機からダウンロードされたものである。
【００１５】
ＰＯＳ端末１１のＣＰＵ５１は、ＲＡＭ５３にコピーされたコンピュータプログラムに従った処理を実行する。このような処理として、ＣＰＵ５１は、商品販売データ処理等の各種処理をＰＯＳ端末１１に実行させる。この意味で、ＣＰＵ５１、ＲＯＭ５２及びＲＡＭ５３によって構成されるマイクロコンピュータＭＣは、商品販売データ処理を実行するデータ処理部を構成する。
また、コードシンボル読取装置１０１とデータ送受信を行うための接続インターフェース５７がバスライン５５に接続されている。
【００１６】
次に、コードシンボル読取装置１０１の外観構成について説明する。
コードシンボル読取装置１０１は、横長テーブル状のカウンタ台１３１の上面に設けられている荷受面１３２に固定された定置式のものである。荷受面１３２は、商品ＡＬを収納するための籠１３３を載置するのに用いられる。籠１３３は、概念上、顧客が購入しようとする商品ＡＬを収納するためにカウンタ台１３１の荷受面１３２に持ち込まれる第１の籠１３３ａと、第１の籠１３３ａからコードシンボル読取装置１０１を挟んだ位置に位置付けられる第２の籠１３３ｂとに分けて考えることができる。第１の籠１３３ａは、顧客の流れ方向の上流側、第２の籠１３３ｂは、顧客の流れの方向の下流側にそれぞれ位置付けられている。顧客の流れの方向については、図１中、矢印で示している。
【００１７】
コードシンボル読取装置１０１は、カウンタ台１３１の荷受面１３２において、オペレータから見て奥側に設置される縦型スキャナ形式のものである。つまり、コードシンボル読取装置１０１は、幅広で奥行きが狭い薄型矩形形状の基体１０２を備え、この基体１０２の正面にスキャナ１０３を有し、基体１０２の上部に操作部１０４が取り付けられて構成されている。
【００１８】
スキャナ１０３は、撮像対象の商品を把持する撮像領域ＲＡに対面する位置に商品ＡＬの画像を撮像するためのＣＣＤイメージセンサが内蔵された読取窓１０３ａを有し、この読取窓１０３ａの前に翳された商品を撮像し、オブジェクト認識、あるいは、パターン認識等の画像認識技術にしたがって、商品を特定し、対応する商品コードを出力する。スキャナ１０３が出力した商品コードは、ＰＯＳ端末１１に送信される。
【００１９】
操作部１０４は、基体１０２の正面よりも手前側に延出させて設けられ、その前部が下方下がりに傾斜した形状をしている。このような操作部１０４には、タッチパネル１０５が表面に積層されたディスプレイ１０６が設けられ、このディスプレイ１０６の右隣には複数個のキートップがマトリクス状に配列されたキーボード１０７が配設されている。オペレータから見て操作部１０４の裏面左奥側には、顧客に情報を提供するための顧客用ディスプレイ１０８が設置されている。
【００２０】
更に、コードシンボル読取装置１０１は、コードシンボルとしてのバーコードを光学的に読み取るハンディ方式のバーコードスキャナであるハンドスキャナ１０９も有している。ハンドスキャナ１０９は、基体１０２の右側面に着脱自在にぶら下げられている。
【００２１】
図４は、コードシンボル読取装置を示す正面図である。
コードシンボル読取装置１０１のスキャナ１０３は、図４に示すように、読取窓１０３ａの下方部分に報知領域１１０を有している。報知領域１１０には、読取窓１０３ａに商品ＡＬに付されたバーコードＢＣを翳すべきことを示す白抜き矢印形状の読取指標１１１が中央部に記されている。そして、読取指標１１１の両側には、報知用発光部としての報知用ＬＥＤ１１２が一つずつ配置されている。個々の報知用ＬＥＤ１１２は、青色と赤色とに発光可能なＬＥＤであり、報知用ＬＥＤ制御部１５１に駆動されて発光する。
【００２２】
また、スキャナ１０３には、読取窓１０３ａの奥側に位置させて、光源用ＬＥＤ制御部１５２による制御を受けて撮像領域ＲＡに光を照射する光源用ＬＥＤ１１３が内蔵されている。更に、スキャナ１０３は、上述したように、読取窓１０３ａの奥側に位置させて、撮像領域ＲＡに位置付けられた商品ＡＬを撮像するＣＣＤイメージセンサ１１４を内蔵している。
さらに、スキャナ１０３の内部の周縁部には、防犯タグを無効にする（消去する）ための消去用電波を送信する防犯タグ消去用のアンテナＡＴを内蔵している。
【００２３】
次にコードシンボル読取装置１０１の内部構成について再び図３を参照して説明する。
コードシンボル読取装置１０１は、各種演算処理を実行し各部を制御する情報処理部としてのＣＰＵ１６１を備えている。ＣＰＵ１６１には、固定データを固定的に記憶保存するＲＯＭ１６２と、可変データを書き換え自在に記憶してワークエリアとして使用されるＲＡＭ１６３とがバスラインＢＬによってバス接続されている。ＲＯＭ１６２は、ＣＰＵ１６１によって実行されるコンピュータプログラムをフォームウェアとして記録している。これらのＣＰＵ１６１、ＲＯＭ１６２及びＲＡＭ１６３は、コードシンボル読取装置１０１が有する各部を制御する制御部ＣＬを構成している。
【００２４】
コードシンボル読取装置１０１のＣＰＵ１６１には、前述した、操作部１０４、報知用ＬＥＤ１１２を駆動制御する報知用ＬＥＤ制御部１５１、光源用ＬＥＤ１１３を駆動制御する光源用ＬＥＤ制御部１５２、がいずれも各種の入出力回路（いずれも図示せず）を介して接続され、ＣＰＵ１６１によって動作制御される。これらに加えて、コードシンボル読取装置１０１は、スピーカ１１５から音声を発生させる音声回路１５３を備えており、この音声回路１５３もバスラインＢＬを介してＣＰＵ１６１に接続され、ＣＰＵ１６１によって動作制御される。音声回路１５３は、音声合成ＬＳＩを搭載し、合成音声信号をデジタル化して増幅し、スピーカ１１５から発生させる。
【００２５】
また、コードシンボル読取装置１０１のＣＰＵ１６１には、スキャナ１０３が接続されている。スキャナ１０３は、それぞれバスラインＢＬを介してＣＰＵ１６１に接続されているＡ／Ｄ変換部１５４と画像認識処理部１５５とを有し、Ａ／Ｄ変換部１５４に前述したＣＣＤイメージセンサ１１４を接続させている。Ａ／Ｄ変換部１５４は、ＣＣＤイメージセンサ１１４から受信した電気信号を増幅回路及びデジタル変換回路（いずれも図示せず）により、デジタル画像データに変換する。画像認識処理部１５５は、デジタル画像データに対応する画像について画像認識を行い、コードシンボルに相当する画像を抽出し、商品コードにデコードして、ＣＰＵ１６１に出力する。
【００２６】
これと並行して画像認識処理部１５５は、デジタル画像データに対応する画像から当該商品が防犯タグが取り付けられた商品であることを示す画像を抽出し、当該商品が防犯タグが取り付けられた商品であることを示す画像が含まれていた場合には、防犯タグＴＡＧ付きの商品である旨をＣＰＵ１６１に通知する。
この場合において、商品が防犯タグが取り付けられた商品であることを示す画像としては、所定のロゴマーク、ダミーバーコードなど任意の画像を用いることが可能であり、これらは、商品の包装に予め印刷されていたり、防犯タグの表面に印刷されていたり、商品コードを示すコードシンボル近傍に張られるフラグシール（例えば、値引きシール等と同様の態様のシール）として商品に付されているものであれば適宜利用することが可能である。
【００２７】
さらに、コードシンボル読取装置１０１は、ＰＯＳ端末１１が有している接続インターフェース５７と接続し、ＰＯＳ端末１１にデータ送受信可能に接続するための接続インターフェース１５６を有している。接続インターフェース１５６としては、ＰＯＳ端末１１の接続インターフェース５７とコミュニケーション可能なインターフェース、例えばＵＳＢ等のシリアルインターフェースが用いられている。接続インターフェース１５６は、バスラインＢＬを介してコードシンボル読取装置１０１のＣＰＵ１６１に接続されている。
【００２８】
これにより、コードシンボル読取装置１０１は、スキャナ１０３がＣＣＤイメージセンサ１１４によって光学的に読み取り画像認識処理部１５５でデコードして出力した商品コードをＰＯＳ端末１１に出力可能となっている。
【００２９】
さらにまた、コードシンボル読取装置１０１は、周波数が第１周波数ｆ１であり防犯タグＴＡＧ存在確認用の通信電波ＥＷ１及び周波数が第１周波数ｆ１であり防犯タグＴＡＧを無効にするための消去用電波ＥＥＷをアンテナＡＴＦ１を介して送信する第１通信装置１５７Ｆ１と、周波数が第２周波数ｆ２であり防犯タグＴＡＧ存在確認用の通信電波ＥＷ２をアンテナＡＴＦ２を介して送信する第２通信装置１５７Ｆ２と、を有している。第１通信装置１５７Ｆ１及び第２通信装置１５７Ｆ２は、バスラインＢＬを介してコードシンボル読取装置１０１のＣＰＵ１６１に接続されている。
【００３０】
これにより、第１通信装置１５７は、ＣＰＵ１６１の制御下で、画像認識処理部１５５によりＣＰＵ１６１に防犯タグＴＡＧ付きの商品である旨が通知されていた商品については、ＣＣＤイメージセンサ１１４によって光学的にバーコードなどのコードシンボルを読み取る読み取り動作と並行して、通信電波ＥＷ１を用いて、通信可能範囲内に防犯タグＴＡＧが存在することを検出するとともに、消去用電波ＥＥＷ２を用いて、防犯タグＴＡＧが設けられている商品については、当該防犯タグを無効にする消去処理を行うこととなる。
【００３１】
この場合において、第１通信装置１５７Ｆ１が防犯タグＴＡＧを無効にするための消去用電波ＥＥＷが有効に働く範囲、すなわち、防犯タグを無効にできる範囲は、スキャナ１０３のＣＣＤイメージセンサ１１４が商品のシンボルコード読取可能範囲と３次元的な範囲として同等の範囲かあるいはやや広い範囲となるようにするのが好ましい。これは、シンボルコードの読取が可能な場合には、確実に防犯タグＴＡＧを無効とすることができるようにするためである。
同様に防犯タグを無効にできる範囲は、通信電波ＥＷ１を用いて防犯タグＴＡＧと通信が可能な３次元的な範囲と同等の範囲かあるいはやや広い範囲となるようにするのが好ましい。
さらに第２通信装置１５７Ｆ２が通信電波ＥＷ２を用いて通信が可能な３次元的な範囲は、第１通信装置１５７Ｆ１が通信電波ＥＷ１を用いて防犯タグＴＡＧと通信が可能な範囲とほぼ同様である。
【００３２】
したがって、ＣＰＵ１６１は、防犯タグＴＡＧが設けられている商品が商品販売データの処理対象である場合には、オペレータに当該商品を第１通信装置１５７Ｆ１が防犯タグＴＡＧを無効にするための消去用電波ＥＥＷが有効に働く範囲に保持してもらうために、商品コードの読取が完了した旨の通知を所定時間遅延させて通知するとともに、ディスプレイ１０６にバーコードなどのコードシンボルが未だ読み取れていないので、読取窓に対向する位置に商品を保持することを促すメッセージを表示するように制御する。
【００３３】
コードシンボル読取装置１０１のＣＰＵ１６１は、ＲＯＭ１６２にファームウェアとして記録しているコンピュータプログラムに従った処理を実行する。このような処理として、ＣＰＵ１６１は、ＰＯＳ端末１１での商品販売データ処理を支援する処理をコードシンボル読取装置１０１に実行させる。
【００３４】
このような構成において、オペレータは、第１の籠１３３ａに収納されている商品ＡＬを手に取り、付されているコードシンボル（例えば、バーコード）をスキャナ１０３の読取窓１０３ａに向けてその商品ＡＬを読取領域ＲＡに位置付ける。この際、光源用ＬＥＤ１１３から光が照射されてコードシンボルの反射光がＣＣＤイメージセンサ１１４によって撮像され、オブジェクト認識処理あるいはパターン認識処理等の画像認識処理を行う画像認識処理部１５５によって商品コードにデコードされる。このようにして、オペレータは、コードシンボルが付された商品の商品コードをコードシンボル読取装置１０１に読み取らせる。
【００３５】
このとき、画像認識処理部１５５は、デジタル画像データに対応する画像から当該商品が防犯タグが取り付けられた商品であることを示す画像の抽出を試みる。
そして、当該商品が防犯タグが取り付けられた商品であることを示す画像が、デジタル画像データに対応する画像に含まれていた場合には、防犯タグＴＡＧ付きの商品である旨をＣＰＵ１６１に通知する。
【００３６】
これにより、ＣＰＵ１６１は、商品コードの読取が完了した旨の通知を所定時間遅延させて通知するとともに、ディスプレイ１０６にバーコードなどの「コードシンボルが未だ読み取れていないので、読取窓に対向する位置に商品を保持する」ことを促すメッセージを表示するように制御する。
【００３７】
この結果、オペレータは、いまだ商品コードがうまく読み取れないと認識して、読取窓に対向する位置に商品を保持しつづけることとなるので、コードシンボル読取装置１０１のＣＰＵ１６１は、第１通信装置１５７Ｆ１に通信電波ＥＷ１を送信させ、防犯タグが第１周波数ｆ１の応答電波ＡＥＷ１を送信したか否かを検出する。
同様にコードシンボル読取装置１０１のＣＰＵ１６１は、第２通信装置１５７Ｆ２に通信電波ＥＷ２を送信させ、防犯タグが第２周波数ｆ２の応答電波ＡＥＷ２を送信したか否かを検出する。
【００３８】
これにより、第１周波数ｆ１の応答電波ＡＥＷ１を受信し、かつ、第２周波数ｆ２の応答電波ＡＥＷ２を受信した場合には、コードシンボル読取装置１０１のＣＰＵ１６１は、防犯タグＴＡＧが、第１通信装置１５７Ｆ１が防犯タグＴＡＧを無効にするための消去用電波ＥＥＷが有効に働く範囲に保持されていると判断することとなる。
【００３９】
したがって、スキャナ１０３によりコードシンボルが読み取られ、商品コードが取得できて販売データ処理が完了できるものとして、コードシンボル読取装置１０１のＣＰＵ１６１は、第１通信装置１５７Ｆ１を制御して第１周波数ｆ１の消去用電波ＥＥＷを送信させることとなる。
【００４０】
また、第１周波数ｆ１の応答電波ＡＥＷ１を受信せず、かつ、第２周波数ｆ２の応答電波ＡＥＷ２を受信した場合には、コードシンボル読取装置１０１のＣＰＵ１６１は、防犯タグＴＡＧが、既に無効にされていると判断することとなる。
さらに第１周波数ｆ１の応答電波ＡＥＷ１を受信し、かつ、第２周波数ｆ２の応答電波ＡＥＷ２を受信しなかった場合には、コードシンボル読取装置１０１のＣＰＵ１６１は、防犯タグＴＡＧが異常であると判断することとなる。
【００４１】
その後、商品コードの読み取りが完了した旨の通知を行うとともに、ディスプレイ１０６に表示した「コードシンボルが未だ読み取れていないので、読取窓に対向する位置に商品を保持する」ことを促すメッセージの表示を終了する。
この結果、当該商品コードが読み取られた商品の防犯タグの無効化（消去）が行われたことを確認して、商品コードの読み取りと、商品の防犯タグの無効化と、を確実に一体的に行わせることができる。
【００４２】
その後、オペレータは、商品コードを読み取らせた商品ＡＬを第２の籠１３３ｂに入れていく。コードシンボル読取装置１０１で読み取られた商品コードは、ＰＯＳ端末１１に送信される。ＰＯＳ端末１１のＣＰＵ５１は、この商品コードに基づいて後述するＰＬＵファイルから対応する単価を取得し、単価に基づく決済金額を算出する処理（商品販売データ処理）を実行する。
【００４３】
ここで、ＰＬＵファイルについて説明する。
図５は、ＰＬＵファイルの模式図である。
ＰＬＵファイル７１は、例えば、ＰＯＳ端末１１のＨＤＤ５４に格納されている。ＰＬＵファイル７１は、一例として、ＰＯＳ端末１１の電源投入時に、その全部又は一部がＨＤＤ５４からＲＡＭ５３にコピーされて使用される。ＰＬＵファイル７１は、個々の商品の識別コードである商品コードに対応付けて、品名（テキストデータ）、単価（数値データ）、防犯タグフラグ（数値データ）等のデータを記憶している。防犯タグフラグは、一例として、「ＮＵＬＬコード」の場合には防犯タグなし、「１」の場合には防犯タグありを意味している。防犯タグありというのは、商品コードによって特定される対応する商品に、防犯タグ（図示せず）が付されていることを意味する。
【００４４】
次に商品販売データ処理の詳細について説明する。
図６は、商品販売データ処理におけるコードシンボル読取装置の処理フローチャートである。
図７は、商品販売データ処理におけるＰＯＳ端末の処理フローチャートである。
【００４５】
コードシンボル読取装置１０１のＣＰＵ１６１は、スキャナ１０３から商品コードが入力されたか否かを判別する（ステップＳ１１）。
ステップＳ１１の判別において、商品コードが未だ入力されていない場合には（ステップＳ１１；Ｎｏ）、待機状態となる。
【００４６】
ステップＳ１１の判別において、商品コードが入力された場合には（ステップＳ１１；Ｙｅｓ）、ＣＰＵ１６１は、スキャナ１０３の画像認識処理部に、当該商品が防犯タグが取り付けられた商品であることを示す画像をデジタル画像データに対応する画像から抽出させる処理を行わせる（ステップＳ１２）。
続いてＣＰＵ１６１は、当該商品が防犯タグが取り付けられた商品であることを示す画像（防犯タグ対応画像）がデジタル画像データに対応する画像から抽出されたか否かを判別する（ステップＳ１３）。
【００４７】
ステップＳ１３の判別において、防犯タグ対応画像が抽出された場合には（ステップＳ１３；Ｙｅｓ）、ＣＰＵ１６１は、ＰＯＳ端末１１に対して、スキャナ１０３から入力された商品コード及びタグ付き商品を検出した旨を通知し（ステップＳ１４）、処理をステップＳ１６に移行する。
【００４８】
ステップＳ１３の判別において、防犯タグ対応画像が抽出されなかった場合には（ステップＳ１３；Ｎｏ）、ＣＰＵ１６１は、ＰＯＳ端末１１に対して、スキャナ１０３から入力された商品コードを通知し（ステップＳ１５）、処理をステップＳ１８に移行する。
【００４９】
一方、ＰＯＳ端末１１のＣＰＵ５１は、商品コードが通知されたか否かを判別する（ステップＳ３１）。
ステップＳ３１の判別において、商品コードが未だ通知されていない場合には（ステップＳ３１；Ｎｏ）、待機状態となる。
【００５０】
ステップＳ３１の判別において、商品コードが通知された場合には（ステップＳ３１；Ｙｅｓ）、通知された商品コードに基づいてＰＬＵファイル７１から対応する品名及び単価のデータを呼び出し、ＲＡＭ５３のワークエリアに一時記憶する（ステップＳ３２）。
【００５１】
そして、ＰＯＳ端末１１のＣＰＵ５１は、ＰＬＵファイル７１から検索した品名及び単価のデータをコードシンボル読取装置１０１に通知する（ステップＳ３３）。
さらにＣＰＵ５１は、コードシンボル読取装置１０１からタグ付き商品を検出した旨が通知されたか否かを判別する（ステップＳ３４）。
【００５２】
ステップＳ３４の判別において、タグ付き商品を検出した旨が通知されていない場合には（ステップＳ３４；Ｎｏ）、処理をステップＳ３７に移行する。
ステップＳ３４の判別において、タグ付き商品を検出した旨が通知された場合には（ステップＳ３４；Ｙｅｓ）、ＰＯＳ端末１１のＣＰＵ５１は、ＰＬＵファイル７１を参照し、入力された商品コードに対応する防犯タグフラグ＝１かどうかを判定する（ステップＳ３５）。
【００５３】
ステップＳ３５の判別において、防犯タグフラグ＝１である場合には（ステップＳ３５４；Ｙｅｓ）、後述するステップＳ１６、ステップＳ１７の処理と並行して、処理をステップＳ３７に移行する。
ステップＳ３５の判別において、防犯タグフラグ＝１でない場合には（ステップＳ３５；Ｎｏ）、次回以降、タグ付き商品を検出した旨が通知されなかった場合でも、商品コードが入力された時点で、タグ付き商品を検出場合と同様の処理を行うべく、ＰＬＵファイル７１を更新して、当該商品コードに対応する防犯タグフラグ＝１とする（ステップＳ３６）。
【００５４】
このとき、コードシンボル読取装置１０１は、ディスプレイ１０６に、「バーコードが読み取れませんでしたので、読取窓１０３ａに対向する位置に商品を保持してください。」とメッセージを表示する（ステップＳ１６）。
この結果、オペレータは、いまだコードシンボル（＝商品コード）がうまく読み取れないと認識して、読取窓１０３ａに対向する位置に商品を保持しつづけることとなる。
これによりコードシンボル読取装置１０１のＣＰＵ１６１は、防犯タグの無効化処理（防犯タグ消去処理）を行う（ステップＳ１７）。
【００５５】
ここで、防犯タグの無効か処理について詳細に説明する。
図８は、防犯タグＴＡＧの無効化処理の処理フローチャートである。
コードシンボル読取装置１０１のＣＰＵ１６１は、まず、第１通信装置１５７Ｆ１に通信電波ＥＷ１を送信させ（ステップＳ５１）、防犯タグＴＡＧが第１周波数ｆ１の応答電波ＡＥＷ１を送信したか否かを判別する（ステップＳ５２）。
ステップＳ５２の判別において、防犯タグＴＡＧが第１周波数ｆ１の応答電波ＡＥＷ１を送信し、第１通信装置１５７Ｆ１が受信できた場合には（ステップＳ５２；Ｙｅｓ）、第２通信装置１５７Ｆ２に通信電波ＥＷ２を送信させ（ステップＳ５３）、防犯タグＴＡＧが第２周波数ｆ２の応答電波ＡＥＷ２を送信したか否かを判別する（ステップＳ５４）。
【００５６】
ステップＳ５４の判別において、防犯タグＴＡＧが第２周波数ｆ２の応答電波ＡＥＷ２を送信せず、第２通信装置１５７Ｆ２が受信できなかった場合には、コードシンボル読取装置１０１のＣＰＵ１６１は、防犯タグＴＡＧが故障している等の異常状態を確認して防犯タグ消去処理を終了する（ステップＳ５７）。
【００５７】
ステップＳ５４の判別において、防犯タグＴＡＧが第２周波数ｆ２の応答電波ＡＥＷ２を送信し、第２通信装置１５７Ｆ２が受信できた場合には（ステップＳ５４；Ｙｅｓ）、コードシンボル読取装置１０１のＣＰＵ１６１は、防犯タグＴＡＧが、第１通信装置１５７Ｆ１が防犯タグＴＡＧを無効にするための消去用電波ＥＥＷが有効に働く範囲に存在しているとして存在確認を行い（ステップＳ５５）、当該防犯タグＴＡＧを無効化するか否かを判別する（ステップＳ５６）。
【００５８】
ステップＳ５６の判別において当該防犯タグＴＡＧを無効化しない場合には（ステップＳ５６；Ｎｏ）、コードシンボル読取装置１０１のＣＰＵ１６１は、処理をステップＳ５１に再び移行し、以下、同様の処理を行う。
ステップＳ５６の判別において当該防犯タグＴＡＧを無効化する場合には（ステップＳ５６；Ｙｅｓ）、第１通信装置１５７Ｆ１に防犯タグＴＡＧを無効にするための消去用電波ＥＥＷを出力させて、防犯タグＴＡＧを無効とする防犯タグ消去処理を行う（ステップＳ５７）。この結果、より確実に防犯タグＴＡＧを無効にすることができる。そして、コードシンボル読取装置１０１のＣＰＵ１６１は、当該防犯タグＴＡＧの無効化が確実に確認するために、あるいは、次の防犯タグＴＡＧの処理を行うために処理をステップＳ５１に移行する。
【００５９】
一方、ステップＳ５２の判別において、防犯タグＴＡＧが第１周波数ｆ１の応答電波ＡＥＷ１を送信せず、第１通信装置１５７Ｆ１が受信できなかった場合には（ステップＳ５２；Ｎｏ）、コードシンボル読取装置１０１のＣＰＵ１６１は、第２通信装置１５７Ｆ２に通信電波ＥＷ２を送信させ（ステップＳ５８）、防犯タグＴＡＧが第２周波数ｆ２の応答電波ＡＥＷ２を送信したか否かを判別する（ステップＳ５９）。
【００６０】
ステップＳ５９の判別において、防犯タグＴＡＧが第２周波数ｆ２の応答電波ＡＥＷ２を送信し、第２通信装置１５７Ｆ２が受信できた場合には（ステップＳ５９；Ｙｅｓ）、コードシンボル読取装置１０１のＣＰＵ１６１は、防犯タグＴＡＧが無効化されている状態であると確認できるので（ステップＳ６０）、防犯タグ消去処理を終了する。なお、このとき、コードシンボル読取装置１０１のＣＰＵ１６１は、ＰＯＳ端末１１にその旨を通知するようにしてもよい。
【００６１】
ステップＳ５９の判別において、防犯タグＴＡＧが第２周波数ｆ２の応答電波ＡＥＷ２を送信せず、第２通信装置１５７Ｆ２が受信できなかった場合には、コードシンボル読取装置１０１のＣＰＵ１６１は、防犯タグＴＡＧが通信可能範囲内にいないものとして、防犯タグＴＡＧの非存在状態を確認して防犯タグ消去処理を終了する（ステップＳ６１）。
【００６２】
続いて、コードシンボル読取装置１０１のＣＰＵ１６１は、ＰＯＳ端末１１から品名及び単価のデータを受信したか否かを判別する（ステップＳ１８）。
【００６３】
ステップＳ１８の判別において、未だＰＯＳ端末１１から品名及び単価のデータを受信していない場合には（ステップＳ１８；Ｎｏ）、コードシンボル読取装置１０１のＣＰＵ１６１は、処理をステップＳ１６に移行して、以下、同様の処理を行う。
ステップＳ１８の判別において、ＰＯＳ端末１１から品名及び単価のデータを受信した場合には（ステップＳ１８；Ｙｅｓ）、コードシンボル読取装置１０１のＣＰＵ１６１は、ディスプレイ１０６及び顧客用ディスプレイ１０８に品名及び単価を表示するために表示を更新する（ステップＳ１９）。
【００６４】
一方、ＰＯＳ端末１１のＣＰＵ５１もオペレータ用表示器１５及び客用表示器１７に品名及び単価を表示するために表示を更新する（ステップＳ３７）。
続いてＰＯＳ端末１１のＣＰＵ５１は、キーボード１４による締め操作がなされたか否かを判別する（ステップＳ３８）。
【００６５】
ここで、締め操作の一例としては、小計キーの押下後にテンキーによる預かり金額の置数がなされ、その後に預／現計キーが押下されることにより行われる。小計キー、テンキー及び預／現計キーは、キーボード１４のいずれかのキーに割り付けられている。
ステップＳ３８の判別において、締め操作がなされなかった場合には（ステップＳ３８；Ｎｏ）、次の商品コードが通知されるのを待つため、ＰＯＳ端末１１のＣＰＵ５１は、再び処理をステップＳ３１に移行して、以下、同様の処理を行う。
【００６６】
ステップＳ３８の判別において、キーボード１４による締め操作がなされた場合には（ステップＳ３８；Ｙｅｓ）、ＰＯＳ端末１１のＣＰＵ５１は、ＲＡＭ５３のワークエリアに一時記憶したデータに基づいて算出した売上合計金額等の取引データをＲＡＭ５３の仮登録エリアに保存して商品登録を行い（ステップＳ３９）、オペレータ用表示器１５及び客用表示器１７の表示更新を実行する（ステップＳ４０）。
【００６７】
そして、ＰＯＳ端末１１のＣＰＵ５１は、そのような取引データに基づく取引情報をレシートジャーナルプリンタ１６によって印字したレシートを発行し、レシートジャーナルプリンタ１６によるジャーナル記録を行う（ステップＳ４１）。
続いて、ＰＯＳ端末１１のＣＰＵ５１は、コードシンボル読取装置１０１に対して、取引終了通知を送信し（ステップＳ４２）、処理を終了する。
【００６８】
一方、コードシンボル読取装置１０１のＣＰＵ１６１は、ＰＯＳ端末１１から取引終了通知を受信したか否かを判別する（ステップＳ２０）。
ステップＳ２０の判別において、未だ取引終了通知を受信していない場合には（ステップＳ２０；Ｎｏ）、再び処理をステップＳ１１に移行して、以下、同様の処理を行う。
【００６９】
ステップＳ２０の判別において、取引終了通知を受信した場合には（ステップＳ２０；Ｙｅｓ）、コードシンボル読取装置１０１のＣＰＵ１６１は、ＲＡＭクリアや表示クリア等のクリア処理を実行し（ステップＳ２１）、処理を終了する。
【００７０】
以上の説明のように、本実施の形態によれば、商品コードの読み取りと、当該商品コードが読み取られた商品の防犯タグの無効化（消去）及びその確認を確実に一体的に行わせることができる。
【００７１】
したがって、防犯タグの無効化が確実に行われないことによって生ずるゲート（図示せず）での警報発生により買物客に不愉快な思いをさせないようにすることができる。
【００７２】
以上の説明においては、防犯タグ対応画像を抽出する処理を行う構成を採っていたが、防犯タグ対応画像抽出処理を行うことなく、第１通信装置１５７Ｆ１及び第２通信装置１５７Ｆ２を用いて、防犯タグＴＡＧの存在の有無、防犯タグＴＡＧの無効化、防犯タグＴＡＧが無効化されているか否かを判別するように構成することも可能である。
本実施形態のＰＯＳ端末あるいはコードシンボル読取装置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００７３】
本実施形態のＰＯＳ端末あるいはコードシンボル読取装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７４】
また、本実施形態のＰＯＳ端末あるいはコードシンボル読取装置で実行される制御プログラムを、インターネット等のネットワークに接続されたコンピュータ上に格納し、ネットワーク経由でダウンロードさせることにより提供するように構成しても良い。また、本実施形態のＰＯＳ端末あるいはコードシンボル読取装置で実行される制御プログラムをインターネット等のネットワーク経由で提供または配布するように構成しても良い。
【００７５】
また、本実施形態のＰＯＳ端末あるいはコードシンボル読取装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１      チェックアウトシステム
１１    ＰＯＳ端末
５１    ＣＰＵ
７１    ＰＬＵファイル
１０１  コードシンボル読取装置
１０３  スキャナ
１０３ａ  読取窓
１０６  ディスプレイ
１１４  ＣＣＤイメージセンサ
１５４  Ａ／Ｄ変換部
１５５  画像認識処理部
１５７Ｆ１  第１通信装置
１５７Ｆ２  第２通信装置
１６１  ＣＰＵ
ＡＥＷ１、ＡＥＷ２  応答電波
ＡＬ    商品
ＡＴＦ１、ＡＴＦ２    アンテナ
ＢＬ    バスライン
ＣＬ    制御部
ＥＷ１、ＥＷ２  通信電波
ＥＥＷ  消去用電波
ＴＡＧ  防犯タグ
【先行技術文献】
【特許文献】
【００７７】
【特許文献１】特許第３９４０１８７号公報
【図１】
0005483623.tif 000002
【図２】
0005483623.tif 000003
【図３】
0005483623.tif 000004
【図４】
0005483623.tif 000005
【図５】
0005483623.tif 000006
【図６】
0005483623.tif 000007
【図７】
0005483623.tif 000008
【図８】
0005483623.tif 000009